(57)【特許請求の範囲】
【請求項１】
複数の結合モードにおいて伝送する装置において、
伝送モジュールと、
少なくとも１つの周辺モジュールと、
前記複数の結合モードの第１の結合モードに対する第１のアンテナ及び前記複数の結合モードの第２の結合モードに対する第２のアンテナと、
前記第１の結合モードと前記第２の結合モードとの間の切り替えを行うモード切り替えモジュールとを有し、
前記第２の結合モードは、前記第１の結合モードに関連した動作に基づいて開始される、装置。
【請求項２】
前記少なくとも１つの周辺モジュールが、
受信器回路と、
フィルタと、
整合モジュールと、
を有する、請求項１に記載の装置。
【請求項３】
前記整合モジュールが、前記複数の結合モードの少なくとも１つに対して少なくとも１つの整合回路を有する、請求項２に記載の装置。
【請求項４】
前記少なくとも１つの周辺モジュールが、前記複数の結合モードの各々に対して、
前記複数の結合モードの各々に対する受信器回路と、
前記複数の結合モードの各々に対するフィルタと、
前記複数の結合モードの各々に対する整合回路と、
を有することにより構成される、請求項２に記載の装置。
【請求項５】
前記第１の結合モードが誘導結合モードであり、前記第２の結合モードが容量結合モードである、請求項１に記載の装置。
【請求項６】
前記誘導結合モードが近接場通信に対して使用され、前記容量結合モードが身体結合通信に対して使用される、請求項５に記載の装置。
【請求項７】
前記伝送モジュール及び前記少なくとも１つの周辺モジュールが、単一のモジュールに統合される、請求項１に記載の装置。
【請求項８】
請求項１ないし７のいずれか一項に記載の装置を有する機器。
【請求項９】
複数の結合モードの間で切り替える方法において、前記切り替えが、少なくとも第１の結合モードのポーリング段階及びリスニング段階と第２の結合モードのポーリング段階及びリスニング段階との間で行われ、前記第２の結合モードは、前記第１の結合モードに関連した動作に基づいて開始される、方法。
【請求項１０】
前記第１の結合モードが誘導結合モードであり、前記第２の結合モードが容量結合モードである、請求項９に記載の方法。
【請求項１１】
前記誘導結合モードのポーリング段階において、複数の誘導結合機構の１以上がポーリングされる、請求項１０に記載の方法。
【請求項１２】
前記誘導結合モードのリスニング段階において、複数の誘導結合機構からの応答が受信される、請求項１０又は１１に記載の方法。
【請求項１３】
前記第１の結合モード及び前記第２の結合モードの少なくとも一方のリスニング段階及びポーリング段階が、交互に生じる、請求項９に記載の方法。
【請求項１４】
前記第１の結合モードのポーリング段階及びリスニング段階の時間が、前記第２の結合モードのポーリング段階及びリスニング段階の時間に等しい、請求項９に記載の方法。
【請求項１５】
前記誘導結合モードが近接場通信に対して使用され、前記容量結合モードが身体結合通信に対して使用される、請求項１０に記載の方法。
【請求項１６】
コンピュータ上で実行される場合に、請求項９ないし１５の何れか一項に記載の方法のステップを前記コンピュータに実行させるプログラムコード手段を有するコンピュータプログラム。
【請求項１７】
請求項１６に記載のコンピュータプログラムを記憶する機械可読媒体。
【発明の詳細な説明】
【技術分野】
【０００１】
本発明は、複数の結合モードの間で切り替える装置及び方法に関する。
【背景技術】
【０００２】
これまで、通信に対する必要性及び要望は、着実に増えており、通信手段が今日の生活及び社会の至るところに存在するような程度まで到達した。更に、様々な通信の可能性の中で、無線通信は、有線通信ソリューションに等しいか、そうでなければ場合により優れている日常的な通信の必要性に対するオプションとして確立した。無線通信を用いると、使用される技術及び伝送電力に依存して、数百キロメートルから数ミリメートルまでの距離が乗り越えられることができる。
【０００３】
近年、短距離、例えば数センチメートルにわたる通信に対する異なる方法、及び数メートルまでの範囲にわたる通信に対する異なる方法が、広く研究されている。
【０００４】
例えば、スマートカード及び無線周波数識別（ＲＦＩＤ）タグの組み合わせは、輸送（発券業務、道路通行料徴収、荷物のタグ付け）、金融（デビット及びクレジットカード、電子財布、マーチャントカード）、通信（ＧＳＭ電話に対するＳＩＭカード）及び追跡（アクセス制御、在庫管理、資産追跡）のような様々な分野において幅広く使用されている。公共輸送に対する電子発券において、例えば、旅行者は、改札口又は入口におけるリーダに彼／彼女のカードをかざすだけである。前記カードのＲＦＩＤタグは、前記リーダに結合され、運賃は、前記カードから差し引かれる。
【０００５】
短距離にわたる通信に対する方法の他の例は、身体結合通信（ＢＣＣ、body coupled communication）である。ＢＣＣは、人体の上及び近く（約１５ｃｍまで）の電子装置が近接場静電結合によりデジタル情報を交換することを可能にする無線技術である。情報は、電場を変調し、体にピコアンペアの電流を静電（容量）結合することにより送信される。前記体は、微小な電流を体に取り付けられた受信器に導通する。環境（空気及び接地）は、送信された信号に対するリターンパスを提供する。
【０００６】
短距離に対する通信方法の他の例は、近接場通信（ＮＦＣ）であり、ネットワーク技術による短距離通信が、物理的に接続されていない２つの装置の間に確立される。このような装置は、ピアツーピア又はクライアント・サーバベースのいずれかで互いと通信することができる。ＮＦＣは、ユーザ設定なしで、様々な装置、例えば携帯電話間の容易かつ安全な通信に対して最適化される。２つの装置に通信させるために、ユーザは、これらの間の距離を縮めるか、又はくっつけさせる。前記装置のＮＦＣインタフェースは、これら自体を自動的に接続し、例えばピアツーピアネットワークを形成するように構成する。ＮＦＣは、設定及びセッションデータを交換することによりブルートゥースTM又は無線イーサネット（ＷｉＦｉ）のような他のプロトコルをブートすることもできる。
【０００７】
しかしながら、ＮＦＣは、２つの深刻な制限を持つ。一方で、通信範囲が、約１０−２０ｃｍに制限され、これは、必ずしも所望のアクションを実行するのに十分ではない。したがって、ＮＦＣ使用可能装置をそれぞれの読み取り端末に近づけることが常に必要である。他方で、通信範囲を考慮すると、通信の傍受が可能であるので、金融又は他の安全性が重要なトランザクションは、安全ではない。
【発明の概要】
【発明が解決しようとする課題】
【０００８】
したがって、本発明の目的は、短距離通信、特に近接場通信における上記の及び他の欠点が軽減されることができる装置及び方法を提供することである。
【課題を解決するための手段】
【０００９】
この目的は、請求項１に記載の装置及び請求項９に記載の方法により達成されることができる。
【００１０】
したがって、本発明の第１の態様において、複数の結合モードにおいて伝送する装置が提案され、前記装置は、伝送モジュールと、少なくとも１つの周辺モジュールと、前記複数の結合モードの各々に対するアンテナとを有する。
【００１１】
前記装置は、近接場通信を身体結合通信と組み合わせることを可能にする。２つの技術の統合は、低いプロトコルレベルにおける協働に基づいて単一のハードウェアを使用して誘導結合と容量結合との間のシームレスな切り替えを可能にする。換言すると、近接場通信ネットワーク及び身体結合通信ネットワークにおいて動作するように構成された装置が提供されることができる。
【００１２】
提案された装置は、身体結合通信範囲が全身であり、すなわち装置がポケットに入れたままであることができ、ユーザが前記装置に触れるとすぐに他の装置との通信が可能であるので、有利である。更に、モバイル近接場通信トランザクションを、身体結合通信を使用する認証手順と組み合わせることは、非常に短い通信範囲のため、傍受がほとんど不可能であるので、このトランザクションを安全にする。
【００１３】
前記提案された装置の前記少なくとも１つの周辺モジュールは、受信器回路と、フィルタと、整合モジュールとを有することができる。前記整合モジュールは、前記複数の結合モードの少なくとも１つに対する少なくとも１つの整合回路を有することができる。各結合モードに対する異なる整合回路は、緩衝効果がこの場合に減少されることができるので、有利でありうる。
【００１４】
前記少なくとも１つの周辺モジュールは、前記複数の結合モードの各々に対して、前記複数の結合モードの各々に対する受信器回路と、前記複数の結合モードの各々に対するフィルタと、前記複数の結合モードの各々に対する整合回路とを有することにより構成されることができる。前記周辺モジュールを通るそれぞれの信号経路が、対応する結合モードに対して最適化されることができるので、この構成は有利である。
【００１５】
第１の結合モードは、誘導結合モードであることができ、第２の結合モードは、容量結合モードであってもよい。誘導結合モードは、近接場通信に対して使用されることができ、容量結合は、身体結合通信に対して使用されてもよい。加えて、伝送モジュール及び前記少なくとも１つの周辺モジュールは、単一のモジュールに統合されることができる。
【００１６】
前記提案された装置は、携帯電話において使用されることができる。
【００１７】
本発明の他の態様において、複数の結合モードの間で切り替える方法が提案され、切り替えは、少なくとも第１の結合モードのポーリング及びリスニング段階と第２の結合モードのポーリング及びリスニング段階との間で行われる。
【００１８】
前記方法は、近接場通信を身体結合通信と結合することを可能にする。これは、身体結合通信範囲が全身であり、すなわち装置がポケットに入れたままであることができ、ユーザが前記装置に触れるとすぐに他の装置との通信が可能であるので、有利である。更に、近接場通信トランザクションを、身体結合通信を使用する認証手順と組みわせることは、非常に短い通信範囲のため、傍受がほとんど不可能であるので、このトランザクションを安全にする。
【００１９】
前記提案された方法を用いると、前記切り替えは、定期的に行われることができる。第１の結合モードは、誘導結合モードであることができ、第２の結合モードは、容量結合モードであってもよい。前記誘導結合モードは、近接場通信に対して使用されることができ、前記容量結合モードは、身体結合通信に対して使用されてもよい。前記誘導結合モードのポーリング段階において、複数の誘導結合機構の１以上が、ポーリングされることができ、前記誘導結合モードのリスニング段階において、複数の誘導結合機構からの応答が受信されることができる。
【００２０】
更に、前記第１の及び第２の結合モードの少なくとも一方のリスニング段階及びポーリング段階は、交互に生じることができる。前記第１の結合モードの前記ポーリング段階及び前記リスニング段階の時間は、前記第２の結合モードの前記ポーリング段階及び前記リスニング段階の時間に等しくなることができる。
【００２１】
前記提案された方法は、コンピュータ上で実行され、コンピュータプログラムプロダクトの機械可読媒体に記憶されることができるコンピュータプログラムとして実施されることができる。
【００２２】
提案されたソリューションは、単一のハードウェアを使用して、異なる利点及び使用パターン、並びに異なる物理的伝搬性質を持つ２つの異なる通信媒体とともに動作するアプリケーションを可能にする。これは、誘導結合モードに対する既存のアプリケーション及び容量結合モードに対する既存のアプリケーションの両方と互換性があり、近接場通信及び身体結合通信の完全な利益を１つの装置に与える。
【００２３】
加えて、前記装置は、身体結合通信のみ、近接場通信のみ、又は身体結合通信及び近接場通信を使用する新しいアプリケーションを実現することを可能にする。特に、最後のオプションは、一方の技術単独で使用するか又は２つの異なる装置上で並列に両方の技術を使用するかのいずれかでは可能ではない、両方の技術を使用するアプリケーション及びサービスの開発を可能にする。
【００２４】
提案されたソリューションは、他の近接場通信ソリューション及び他の身体結合通信ソリューションとも互換性がある。
【００２５】
加えて、提案されたソリューションを用いて、既存の近接場通信アプリケーションは、身体結合通信を使用するように容易に拡張されることができる。したがって、身体結合通信に対する使用分野は、広げられることができる。
【００２６】
更に、ネットワーク内の他の装置に対して、提案されたソリューションによる装置は、近接場通信ネットワーク及び身体結合通信ネットワークの両方において通常の装置であるかのように動作することができる。したがって、異なる技術（近接場通信／身体結合通信）間のモード切り替えは、提案されたソリューションによってマルチ技術機能のトランスペランシ（transparency）を提供する。したがって、単純な近接場通信又は身体結合通信アプリケーションは、マルチ技術機能を備えた装置と通信する場合に標準的に動作することができる。
【００２７】
加えて、同じハードウェアの使用は、オープンシステム相互接続（ＯＳＩ）七層モデルの低い層、例えば層２における近接場通信媒体及び身体結合通信媒体の同期、及び両方の技術に対する前記装置上にスタックされたソフトウェアの共有を可能にする。アプリケーションに対して必要とされるコードの量が減少されるので、これは、より容易かつより良好なコード開発及び保全性をもたらす。低い層における２つの通信モードのこのような低いレベルの同期は、アプリケーションをスピードアップし、ユーザ経験に影響を与えない。
【００２８】
ソフトウェアスタックの抽象化レベルは、（両方のネットワーク上に存在する全ての装置のリストに帰着する近接場通信及び身体結合通信のポーリングである）"ポーリング"のような完全に一般的な機能を可能にするが、特定のアプリケーションが１つの技術に関連した機能のみを実行することを防止しない。
【００２９】
前記装置は、特定の時点において誘導結合モード又は容量結合モードのいずれかにおいて動作するので、これら２つのモードの間の干渉は生じることがない。加えて、干渉を減少させるためにそれぞれのモジュールの間で遮蔽が実施される必要がない。したがって、前記装置の再送信レートが減少されることができるので、前記装置のデータレートは、増大されることができる。
【００３０】
提案されたソリューションの利点は、電力が１つの装置によってのみ消費され、電力が中央集権的に管理され、これにより２つの技術を使用する場合に電力の無駄が存在しないことである。
【００３１】
他の有利な発展は、従属請求項において規定される。
【００３２】
本発明は、ここで、添付の図面を参照して実施例に基づいて記載される。
【図面の簡単な説明】
【００３３】
【図１】実施例による典型的な装置の概略的な構成を示す。
【図２】実施例によるモード切り替えモジュールの有限状態オートマトンを示す。
【図３】実施例によるアプリケーションのフローチャートを示す。
【発明を実施するための形態】
【００３４】
図１は、一実施例による装置、すなわちハードウェアモジュール１０の概略的な構成を示す。伝送モジュール１１は、送信信号の生成を実行する。この信号は、認証信号、セッション信号又はデータ信号であることができる。伝送モジュール１１は、送信装置、要求装置及び／又は受信装置に結合されることができる。図１に描かれた典型的なハードウェアモジュール１０において、伝送モジュール１１は、受信器回路１２に接続される。受信器回路１２は、伝送モジュール１１の内部受信段に受信信号を提供する。フィルタ１３は、伝送モジュール１１及び受信器回路１２に接続される。フィルタ１３は、前記送信信号の高調波を減少し、必要であればインピーダンス変換を実行するように構成される。フィルタ１３は、電磁両立性（ＥＭＣ）フィルタ又は高調波を減少する及び／又はインピーダンス変換を実行することができる他のフィルタであることができる。図１に描かれた典型的なハードウェアモジュール１０において、フィルタ１３はＥＭＣフィルタである。整合モジュール又は整合回路１４は、ＥＭＣフィルタ１３に接続される。整合回路１４は、インピーダンス変換ブロックとして機能する。これは、複数の結合モードの１つごとに１つの整合回路又は前記複数の結合モードの幾つかに対して１つの整合回路、例えば２つの結合モードに対して１つの整合回路を有することができる。例えば、整合回路１４は、少なくとも２つの別個の整合回路（容量性／誘導性）を有することができる。整合回路１４は、ミキサ１５に接続される。加えて、電場を生成し、身体結合通信（ＢＣＣ）パケットを受信する容量性アンテナ１６及び磁場を生成し、近接場通信（ＮＦＣ）パケットを受信する誘導性アンテナ１７が、ミキサ１５に接続される。参照番号１８は、受信器回路１２、ＥＭＣフィルタ１３及び整合回路１４を有する周辺モジュールを示す。
【００３５】
伝送モジュール１１及び周辺モジュール１８は、単一のモジュールに統合されることができる。同じ装置内の伝送モジュール及び周辺モジュールの異なる構成を使用することも可能である。異なる構成、誘導結合モード及び容量結合モードに対する共通モジュール、又は前記結合モードの１つに対する別個のモジュールに依存して、ＮＦＣ技術及びＢＣＣ技術は、互いと協働し、異なるプロトコルレベルにおける共通のソフトウェア及びハードウェアを共有することができる。前記誘導結合モードは、ＮＦＣに対して使用されることができ、前記容量結合モードは、ＢＣＣに対して使用されることができる。
【００３６】
２つの異なる装置において前記２つの技術を使用すると、前記協働は、通常は、前記２つの装置をホストする装置の中のソフトウェアにおいて高いプロトコルレベルで行われることができる。他方で、同じ装置又は集積回路（ＩＣ）上で前記２つの技術を使用すると、前記協働は、通常は、前記装置又は前記ＩＣ自体の中のファームウェア又はハードウェアにおいて、低いプロトコルレベルで行われることもできる。
【００３７】
前記２つの技術の統合は、低いプロトコルレベルにおける協働に基づいて単一のハードウェアを使用して誘導結合と容量結合との間のシームレスな切り替えを可能にする。
【００３８】
前記装置又はハードウェアモジュール１０は、例えば携帯電話、スマートフォン、パーソナルデジタルアシスタント、スマートカード、クレジットカード、マルチメディアプレーヤ、時計、鍵、ハンドヘルドコンピュータ及び／又はラップトップコンピュータに統合されることができる。誘導結合モードのみ、容量結合モードのみ、又は誘導結合モード及び容量結合モードを使用する追加のアプリケーションが実現されることができる。特に後者のオプションは、前記２つの技術を使用する開発中のアプリケーションを可能にし、単一の技術を使用して又は２つの異なる装置上で並列に前記２つの技術を使用して実施されることができないサービスを提供する。
【００３９】
図２において、モード切り替えモジュールの有限状態オートマトンが示される。各ＮＦＣ／ＢＣＣ装置は、モジュール'モード切り替え'を含む。好ましくは、前記モード切り替えモジュールは、ソフトウェアで実現される。しかしながら、ハードウェアでの実現も可能である。前記モード切り替えモジュールは、ＮＦＣモードとＢＣＣモードとの間のシームレスな切り替えを可能にする。この手順は、ＮＦＣポーリング及びリスニングとＢＣＣポーリング及びリスニングとの間の良好な回転時間を可能にする。前記ＮＦＣモードにおいて、前記装置は、３つの異なるタイプのＮＦＣ装置（ＮＦＣ−Ｂ、ＮＦＣ−Ｆ及びＮＦＣ−Ａ）に対してポーリング及びリスニングしなければならない。前記ＢＣＣモードにおいて、前記装置は、ＢＣＣ装置に対してポーリング及びリスニングする。
【００４０】
前記ＮＦＣモードにおいて、前記装置は、例えば、使用される技術によりグループ化された以下の種類の装置、すなわち、
・ＮＦＣ−Ａ：ＩＳＯ／ＩＥＣ１４４４３タイプＡカード準拠、Ｍｉｆａｒｅカード及びカードをエミュレートするＮＦＣ電話（例えばノキア６１３１ＮＦＣ）
・ＮＦＣ−Ｂ：ＩＳＯ／ＩＥＣ１４４４３タイプＢカード準拠及びカードをエミュレートするＮＦＣ電話
・ＮＦＣ−Ｆ：ＦｅｌｉＣａカード及びＦｅｌｉＣａ電話（例えば富士通からのＦ９０２ｉＳ）
に対してポーリングする。
【００４１】
前記ＮＦＣモードにおいて、前記装置は、更に、例えば、使用される技術によりグループ化された以下の種類の装置、すなわち、
・ＮＦＣ−Ａ：地下鉄改札口の上のリーダ装置、販売場所ＮＦＣ−Ａ準拠装置、ＮＦＣを備えた携帯電話（例えばノキア６１３１ＮＦＣ）及びＩＳＯ／ＩＥＣ１４４４３タイプＡリーダ
・ＮＦＣ−Ｂ：地下鉄改札口の上のリーダ装置、販売場所ＮＦＣ−Ｂ準拠装置、ＮＦＣを備えた携帯電話（例えばノキア６１３１ＮＦＣ）及びＩＳＯ／ＩＥＣ１４４４３タイプＢリーダ
・ＮＦＣ−Ｆ：地下鉄改札口の上のリーダ装置、販売場所ＮＦＣ−Ｆ準拠装置、ＮＦＣを備えた携帯電話（例えばノキア６１３１ＮＦＣ）及びＦｅｌｉＣａリーダ
に対してリスニングする。
【００４２】
例えば、前記モード切り替えモジュールは、以下の場合、すなわち、
−装置がＮＦＣポーリング／リスニング及びＢＣＣポーリング／リスニングを定期的に実行する場合
−進行中のＢＣＣ通信を持つ装置が、ＮＦＣポーリング／リスニングを定期的に実行する場合
−進行中のＮＦＣ通信を持つ装置が、ＢＣＣポーリング／リスニングを定期的に実行する場合
−装置が、進行中のＮＦＣ通信及びＢＣＣ通信の両方を持つ場合
の１以上をサポートする。
【００４３】
ＮＦＣポーリング／リスニング状態とＢＣＣポーリング／リスニング状態との間の様々な状態遷移シーケンスが可能である。例えば、たとえ図２に描かれていなくても、ＮＦＣポーリング、ＢＣＣポーリング、ＮＦＣリスニング及びＢＣＣリスニング、又はＮＦＣリスニング、ＢＣＣポーリング、ＮＦＣポーリング及びＢＣＣリスニング等の状態遷移シーケンスが、生じることができる。
【００４４】
ポーリング段階中に、装置、モジュール又はユニットの状態は、定期的に要求され、これにより前記状態は、ハードウェア及びソフトウェアにより決定されることができる。リスニング段階中に、それぞれの装置、モジュール又はユニットは、ポーリング要求を待つ。前記それぞれの装置、モジュール又はユニットは、このようなポーリング要求を受信する場合に、少なくとも一度は応答を送り返す。
【００４５】
前記モード切り替えは、２つのモード、ＮＦＣとＢＣＣとの間で時間を等しく共有すべきであり、
tLは、装置がＮＦＣリスニング段階である時間であり、
tPは、装置がＮＦＣポーリング段階である時間である。
【００４６】
前記リスニング段階及び前記ポーリング段階は、交互に起こることができる。前記リスニング段階及び前記ポーリング段階は、等しい長さでありうる。前記リスニング段階又は前記ポーリング段階のいずれかが他方の段階より長いことも可能である。更に、第１の結合モード、例えば前記ＮＦＣモードの前記ポーリング段階及び前記リスニング段階の時間は、第２の結合モード、例えば前記ＢＣＣモードの前記ポーリング段階及び前記リスニング段階の時間に等しくなることができる。しかしながら、モードの段階が、個別に又は合計で、他のモードのそれぞれの段階より長いことも可能である。
【００４７】
装置は、前記ＮＦＣモードのポーリング段階、すなわち状態２４である場合、１以上のＮＦＣ技術（ＮＦＣ−Ｂ、ＮＦＣ−Ｆ、ＮＦＣ−Ａ）、すなわち、状態２４ａ、２４ｂ及び２４ｃに対して相次いでポーリングすべきである。公平であるように、前記モード切り替えモジュールは、ＢＣＣが他の技術（例えばＮＦＣ−Ａ）より多くの時間に対してポーリングすることを可能にすべきでない。したがって、tBCCPは、前記装置が他のＢＣＣ装置に対してポーリングしている時間として規定される。すなわち、tBCCPは、
tBCCP=tP/n
として規定され、ここでnは前記ＮＦＣモード中にポーリングされる異なる技術の数である。これは、全ての技術に対して良好な快適レベルを提供する。
【００４８】
前記装置は、前記ＮＦＣモードのリスニング段階、すなわち状態２３にある場合、入ってくるＲＦ場を検出し、１つの特定の技術、状態２３ａ、２３ｂ又は２３ｃのいずれかを選択し、次いで、ポーリング要求がこの技術から来る場合に応答を送信すべきである。したがって、前記装置は、最も高い確率で、１つのＮＦＣリスニング段階中にただ１つの技術に対してリスニングする。
【００４９】
患者モニタリングのような典型的なＢＣＣアプリケーションは、前記ＢＣＣ装置が、非常に規則的にバイタルサインを送信することを必要とし、情報更新を受信する前に３つのＮＦＣリスニング段階を待機することをサポートすることができない。したがって、１つのリスニング段階は、ＮＦＣ技術専用であり、次の段階は、ＢＣＣ単独に専用である。したがって、tBCCLは、前記装置が他のＢＣＣ装置伝送に対してリスニングしている時間として規定される。すなわち、tBCCLは、
tBCCL=tL
として規定される。
【００５０】
これに基づき、ＮＦＣ−ＢＣＣ装置がＮＦＣ技術及びＢＣＣに対してポーリング及びリスニングするサイクルに対する合計時間tNFC-BCCは、
tNFC-BCC=tP+tL+tBCCP+tBCCL=tP+tL+tP/n+tL=(n+1)tP/n+2tL
として規定される。
【００５１】
前記ＢＣＣモードのポーリング段階、すなわち状態２２において、前記装置は、継続時間tBCCPのタイマを開始する。この場合、前記装置は、前記タイマの終了まで状態２６において放送ポーリングコマンドＢＣＣ＿ＰＯＬＬ＿ＲＥＱを送信する。これは、前記ＮＦＣモードにおいて前記装置が異なる技術に対して一連のポーリングを進め、前記ポーリングされた技術を変更する前に応答を待たなくてはならないので、上記のＮＦＣモード切り替えとは非常に異なる。
【００５２】
ここで、前記ＢＣＣモードにおける前記装置は、ポーリングを続行しながら、応答を収集する。媒体は、キャリア検知多重アクセス／衝突回避（ＣＳＭＡ／ＣＡ）により前記応答する装置と前記ポーリングする装置との間で共有されるので、前記ポーリングする装置が応答を収集するためにチャネルをフリーにする必要性は存在しない。新しいポーリング要求を送信する前に、装置は、チャネルをビジーとして検知し、この場合、応答を収集する。この選択は、ネットワークのメッシュアーキテクチャにより直接的に与えられる。実際に、ＢＣＣ装置は、他のＢＣＣ装置と同時に通信することができるべきであり、１つのポーリング段階中に、この特定のポーリング段階中に現れるＢＣＣ装置を含め、可能な限り多くの応答を収集すべきである。前記装置は、前記ポーリング段階の後に、前記装置上で実行されるアプリケーションの必要性に依存して、前記応答の多くに対処する。各応答に対して、前記装置は、前記応答する装置の受信されたＩＤをアプリケーション層に送る。
【００５３】
前記ＢＣＣモードのリスニング段階、すなわち状態２１において、前記装置は、継続時間tBCCLのタイマを開始する。この場合、前記装置は、ポーリングコマンドＢＣＣ_ＰＯＬＬ＿ＲＥＱを待機する。前記装置は、このような要求を受信する場合、状態２５において応答ＢＣＣ＿ＰＯＬＬ＿ＲＥＳを送り返す。理論的には、装置は、ポーリングコマンドに対して一回だけ応答することができるが、前記ポーリングする装置が放送パケットを送信し、受信された応答に対して承認を送信しないので、前記応答が失われることも起こりうる。したがって、装置は、たとえ同じリスニング段階内に既に応答したとしても、常にポーリングコマンドに応答すべきである。前記ポーリングする装置は、１つの特定の装置からの複数の応答を検出すべきである。
【００５４】
時間を等しく共有する前記ＮＦＣモードと前記ＢＣＣモードとの間で自動的かつトランスペラントに切り替える、ここに記載された'一般的なモード切り替え'に加えて、アプリケーションが前記ＮＦＣモードと前記ＢＣＣモードとの間で明示的に切り替えることを可能にすることも可能である。これは、アプリケーションステータスに依存して、最も適切な瞬間に切り替えることを可能にする。この場合に対して、前記アプリケーションにより使用されることができる複数のメッセージが、規定されることができる。
【００５５】
両方の場合に、前記モード切り替えモジュールは、実行されているアプリケーション／通信を妨害／劣化することなしに前記ＮＦＣモードと前記ＢＣＣモードとの間で最良に切り替える方法を決定することができるように、装置の通信状態の内部表現を持つ。
【００５６】
上記の例において、２つの結合モード、すなわち前記ＮＦＣモード及び前記ＢＣＣモードが提供される。しかしながら、２より多い結合モードが採用されることも可能である。更に、前記採用された結合モードは、同じタイプ又は異なるタイプであることができる。
【００５７】
図３は、実施例によるアプリケーションのフローチャートを示す。ＮＦＣ及びＢＣＣ可能である携帯電話は、様々なアプリケーションを提供することができる。このような電話により提供される多くのアプリケーションの中の１つは、クレジットカードなしでの、輸送機関のチケット、コンサート、映画、劇場チケット（例えばスマートポスタによる）、又はＮＦＣリーダを備えた店の商品の支払いである。このタイプのアプリケーションは、購入者及びこの支払いの法的プロセスを認証するために前記支払いの瞬間において認証プロセスを要求する。このトランザクションは、ＮＦＣで開始され、認証に対して、前記携帯電話は、このユーザを識別するために、固有鍵を含むＢＣＣタグを前記ユーザの身体上で捜索する。前記固有鍵は、この場合、前記トランザクションを認証するようにＢＣＣを介して前記ＮＦＣリーダに送信されることができる。
【００５８】
状態３１において、前記ＮＦＣリーダは、前記支払いを処理するためにＮＦＣ装置に対して規則的にポーリングする。前記ＮＦＣ−ＢＣＣ携帯電話は、ＮＦＣポーリング／リスニング及びＢＣＣポーリング／リスニング段階を交互に行う。前記ＮＦＣ−ＢＣＣ携帯電話は、前記ＮＦＣリスニング段階にある場合、状態３２において前記ＮＦＣリーダからの支払いの要求を検出する。前記ＮＦＣ−ＢＣＣ携帯電話は、前記支払いを処理し、前記ＮＦＣリーダがＰＩＮコードを要求する場合に状態３３においてＢＣＣタグを捜索する。前記ＮＦＣ−ＢＣＣ携帯電話は、この場合、状態３４において前記ＰＩＮコードを前記ＮＦＣリーダに転送し、状態３５において前記トランザクションを完了する。
【００５９】
上記の実施例による提案されたソリューションが、関連した機能ブロックにおいてソフトウェアモジュールで実施されることができることに注意する。本発明が、上記の実施例に限定されないが、如何なるネットワーク環境においても使用されることができることに更に注意する。特に、全ての種類の無線装置とのモバイルトランザクション及びインタラクションに対する全てのＮＦＣベースのシステムに応用されることができる。
【００６０】
上の記載において、略称"ＢＣＣ"は、身体結合通信を示すのに使用され、略称"ＮＦＣ"は、近接場通信を示すのに使用される。しかしながら、これらの略称の使用は、例えば特定の規格が採用されるべきであるような限定的な形で解釈されるべきではない。これに反して、いかなる種類の身体結合通信及び近接場通信も意味されることができる。
【００６１】
要約すると、本発明は、複数の結合モードで伝送する装置に関する。前記装置は、伝送モジュールと、少なくとも１つの周辺モジュールと、前記複数の結合モードの各々に対するアンテナとを有する。本発明は、複数の結合モードの間で切り替える方法にも関し、前記切り替えは、少なくとも第１の結合モードのポーリング段階及びリスニング段階と第２の結合モードのポーリング段階及びリスニング段階との間で行われる。前記装置及び前記方法は、同じハードウェアを使用して、例えば近接場通信と身体結合通信との間のシームレスな切り替えを可能にする。
【００６２】
本発明が、図面及び先行する記載において詳細に図示及び記載されているが、このような図示及び記載は、説明的又は典型的であると見なされるべきであり、限定的であると見なされるべきでない。本発明は、開示された実施例に限定されない。
【００６３】
開示された実施例に対する他の変形例は、図面、開示及び添付の請求項の検討から、請求された発明を実施する当業者により理解及び達成されることができる。
【００６４】
請求項において、単語"有する"は、他の要素又はステップを除外せず、不定冠詞"１つの"（"a"又は"an"）は複数を除外しない。単一のプロセッサ又は他のユニットは、請求項に記載された複数のアイテムの機能を満たしてもよい。特定の方策が相互に異なる従属請求項に記載されているという単なる事実は、これらの方策の組み合わせが有利に使用されることができないことを示さない。
【００６５】
コンピュータに実施例による方法のステップを実行させるプログラムコード手段を有するコンピュータプログラムは、他のハードウェアと一緒に又は一部として供給される光記憶媒体又は半導体媒体のような適切な媒体に記憶／流通されることができるが、インターネット又は他の有線若しくは無線電気通信システムを介するような他の形式で流通されることもできる。
【図１】
0005684573.tif 000002
【図２】
0005684573.tif 000003
【図３】
0005684573.tif 000004